(57)【特許請求の範囲】
【請求項１】
供給筒より間歇回転する回転ドラム上にカップを１個づつ吸引出しして１８０度回転にてカップを下向きにしてドラム上の食材に被せ、該ドラムの間歇回転により該カップを上向きにして閉蓋包装ラインのリテーナーコンベアに送る食材の自動充填ラインにおいて、前記の回転ドラムの９０度間歇回転にて吸引出しカップが開口部を外にして横向きとなる食材を充填する直前の位置に吸引口をラッパ状に拡開したエアー吸引筒とその外側に等区分範囲を往復動するように周設する複数本のエアー噴射ノズルとからなる洗浄装置を設け、該洗浄装置を横向きした該カップの開口面に至近正対させ、該カップ内を該各エアー噴射ノズルの往復動によりエアー吹付け角が微妙に変わることで洗浄残しが生じないように瞬時に洗浄するようにしたことを特徴とする食材を自動充填するラインにおけるカップの洗浄装置。
【発明の詳細な説明】
【技術分野】
【０００１】
この発明は、供給されるカップ内に食材を自動充填するラインにおいて、食材を充填する直前においてカップ内を素早く洗浄する装置に関するものである。
【背景技術】
【０００２】
従来は、図６（ａ）に示すように回転ドラムを用いて供給するカップ内に食材を自動充填するラインと、および図６（ｂ）に示すようにリテーナーコンベア上に直接カップを供給して食材を自動充填するラインのいずれも、成形したカップの供給を受けて各カップ内に食材を自動充填するようにしている。
【特許文献１】なし
【発明の開示】
【発明が解決しようとする課題】
【０００３】
しかしながら、カップの成形から供給を受ける間には輸送過程などを経ることもあってカップ内には１００個の中に１個とか少ないけれども毛髪やカップの破損片など、さまざまな不純物が混入することがあって、従ってカップのほとんどがきれいであるけれども洗浄しないで食材を充填するときは、多数の中のひとつに不純物が混入するという課題が生ずる。
【課題を解決するための手段】
【０００４】
本発明は、供給筒より間歇回転する回転ドラム上にカップを１個づつ吸引出しして１８０度回転にてカップを下向きにしてドラム上の食材に被せ、該ドラムの間歇回転により該カップを上向きにして閉蓋包装ラインのリテーナーコンベアに送る食材の自動充填ラインにおいて、前記の回転ドラムの９０度間歇回転にて吸引出しカップが開口部を外にして横向きとなる食材を充填する直前の位置に吸引口をラッパ状に拡開したエアー吸引筒とその外側に等区分範囲を往復動するように周設する複数本のエアー噴射ノズルとからなる洗浄装置を設け、該洗浄装置を横向きした該カップの開口面に至近正対させ、該カップ内を該各エアー噴射ノズルの往復動によりエアー吹付け角が微妙に変わることで洗浄残しが生じないように瞬時に洗浄するようにして、かかる課題を解決するようにしたのである。
【発明の効果】
【０００５】
本発明は、供給されるすべてのカップ内を洗浄してから食材を充填することとなるので、不純物の混入のない食材充填カップを提供することができるという効果を生ずる。各カップ内はエアー噴射ノズルによるエアー吹きと、エアー吸引筒によるエアー吸引との共働により、吹きと吸引という２通りによる洗浄にて毛髪などの軽いものから金属片などの重量のあるものまで一切の不純物を確実にカップ内より排除することができるという効果を生ずる。
【０００６】
エアー噴射ノズルを等区分において往復動させることで、少本数にして噴射ノズル１本あたりのエアー吹き圧を増大させることができ、しかも往復動によりエアー吹付け角が微妙に変わることで不純物の洗浄残しが解消するという効果を生ずる。
【発明を実施するための最良の形態】
【０００７】
本発明は、供給されるカップ内に食材を自動充填するラインにおいて、食材を充填する直前のカップ位置に、カップの開口面に至近正対してカップ内をエアー吹き洗浄するエアー噴射ノズルと、エアー吸引して洗浄するエアー吸引筒とを以ってなる洗浄装置を配置して、エアー吹きとエアー吸引の共働により食材を充填する直前のカップ内を自動洗浄するようにしたのである。
エアー噴射ノズルは等区分の範囲を往復動させることで、４本等の少本数にてカップの全周全面をカバーするようにすることができる。またエアー吸引筒は先広に拡げて吸引範囲を大きくしている。
【実施例１】
【０００８】
図１に示すように、供給筒１より間歇回転する回転ドラム２上にカップＣを１個づつ吸引出しして、１８０度回転にてカップＣを下向きにしてドラム３上の食材Ｓに被せ、該ドラム３の間歇回転によりカップＣを上向きにして閉蓋，包装ラインであるリテーナーコンベア４に送るラインにおいて、回転ドラム２が９０度回転してカップＣが開口部を外にして横向きとなった点、すなわち食材Ｓに被せる直前の点で本発明の洗浄装置７をカップＣの開口部に近づけて素早くカップＣ内を洗浄するのである。この間は間歇回転の停止する時間とシンクロする瞬時であってドラム２，３の間歇回転ピッチは変わることがない。エアー噴射ノズル５によるエアー噴射によってカップＣ内に入っているかも知れない毛髪等の不純物を吹き洗浄し、さらに内側のエアー吸引筒６による吸引洗浄とをもって確実に洗浄するのである。
【０００９】
図２に示すようにエアー噴射ノズル５はカップＣの内面全周を洩らさずに吹き洗浄するために一定の間隔を置いて複数本周設する。カップＣの円形，四角形に相応して円形，四角形等にて並列配設するのである。なおエアー吸引筒６にて吸引した不純物は配管６ａを通して室外部の集塵器（図示してない）に排出されることとなる。次いでカップＣは回転ドラム２により下向きにされて食材Ｓに被せられて包装用のリテーナーコンベア４に送られることとなる。
【００１０】
円形のカップＣ用の洗浄装置７は、吸引口６ｂをラッパ状に拡開したエアー吸引筒６とその外周に数本から１０数本のエアー噴射ノズル５を等間隔を置いて設けて構成する。エアー噴射ノズル５はカップＣの全周全面の内壁から底面に向けてもれなくエアーを噴射するように配設するのである。５ａは外部のエアーコンプレッサ（図示してない）に接続するエアー導管、５ｂはエアー導管５ａから入るエアーを各エアー噴射ノズル５に分配するための分岐管である。
【００１１】
カップＣが９０度回転し来て洗浄装置７に正対して間歇停止すると同時に洗浄装置７はカップＣの開口部外面を塞ぐほどの至近距離に近接正対してエアー噴射ノズル５からエアーを噴射して洗浄するのである（図３）。万にひとつ毛髪等の不純物が入っているかも知れないカップＣは洗浄されることで毛髪等の不純物はエアーの吹き圧により吹き離され、内側のエアー吸引筒６より吸引されて配管６ａにてつながる外部の集塵器に集塵して排除されることとなる。エアー吸引筒６によるエアー吸引と噴射されるエアー吹き量とをできれば同量に近づけることで、吹き離された不純物はエアー吸引筒６にてすべて吸引排除されることとなるので、周囲に不純物が飛散したり環境を汚損することはない。カップＣ内は洗浄によって目に見えないホコリなども同時に排除されるので、不純物の混入しないカップＣもすべて衛生面を良好にしてから食材を充填することができることになる。カップＣが２列以上の数列において供給されるときは、各列別に洗浄装置７を設けて、横並びする複数のカップＣを同時に洗浄するのである。
【００１２】
図２（ｃ）は四角形状をしたカップＣ用の洗浄装置を示すもので、カップＣの四角形状に合わせてエアー噴射ノズル５を四角枠状に並列配設し、エアー吸引筒６の開口を四角形にして拡げたほかは円形のカップ用と同じである。
【実施例２】
【００１３】
図４に示すようにリテーナーコンベア４に直接カップＣを供給するラインにおいては、食材充填部８の直前の区間上に本発明の洗浄装置７を下向きにおいて設けて、走行し来たる上向きのカップＣに近づけて洗浄するのである。洗浄要領は前例と同じである。
【実施例３】
【００１４】
エアー噴射ノズル５を一定の区間づつにおいて往復回動させることで、少本数にしてカップＣの全周をカバーさせることもできる。図５はエアー噴射ノズル５を９０度の間隔を置いて４本において設けた例を示すものである。エアー噴射ノズル５は少本数にすることで、本数に反比例してノズル１本あたりの風圧が増大して吹き洗浄能力が向上する。しかもエアー噴射ノズル５を洗浄装置ごとサーボモータ（図示してない）等の手段にて往復回動させることで不純物に対するエアーの吹付け角がかわるので、付着している不純物も確実に吹き離し洗浄されることとなる。ノズルの本数は３本にして１２０度において回転往復動させたり、６本にして６０度の回転往復動にすることもできる。
【産業上の利用可能性】
【００１５】
本発明は以上のようにして、食材を自動充填する直前においてカップ内を洗浄する装置として、カップの大小，形状を問わず広く利用することができるものである。
【図面の簡単な説明】
【００１６】
【図１】回転ドラムによりカップ内に食材を充填するタイプの自動充填ラインに洗浄装置を設けた例を示す正面図
【図２】洗浄装置の拡大図で、（ａ）は縦断面図、（ｂ）は側面図、（ｃ）は四角形のカップ用の洗浄装置の例を示す側面図
【図３】洗浄装置がカップの開口部に近接正対してエアー吹きとエアー吸引の共働により洗浄している状態を示す拡大断面図
【図４】リテーナーコンベアにて走行中のカップ内に食材を充填するタイプの自動充填ラインに洗浄装置を設けた例を示す正面図
【図５】エアー噴射ノズルを９０度間隔の４本にして一定の区間づつにおいて往復回動させるようにした洗浄装置の例を示す側面図
【図６】（ａ）は回転ドラムにより食材を充填するタイプの従来例を示す正面図、（ｂ）はリテーナーコンベアにて走行中に食材を充填するタイプの従来例を示す正面図
【符号の説明】
【００１７】
１はカップの供給筒
２は回転ドラム
３は食材充填用のドラム
４はリテーナーコンベア
５はエアー噴射ノズル
５ａはエアー導管
５ｂは分岐管
６はエアー吸引筒
６ａは配管
７は洗浄装置
８は食材充填部
Ｃはカップ
Ｓは麺，菓子などの食材
【図１】
0004597184.tif 000002
【図２】
0004597184.tif 000003
【図３】
0004597184.tif 000004
【図４】
0004597184.tif 000005
【図５】
0004597184.tif 000006
【図６】
0004597184.tif 000007